(57)【要約】【課題】本発明は、組み合わされた筆記具／シート材ディスペンサ１０を対象とする。【解決手段】本発明は、先端部１４と、シート材ディスペンサ部と、先端部とシート材ディスペンサ部１８との間に配置されたグリップ部１６とからなる。本体のシート材ディスペンサ部の内部には、シート材スタックを受け、かつ保持するようにサイズ決めされた区画が形成される。シート材スタックは、剥離可能接着剤層と共に接着された複数の個々のシートから形成される。スロット２６が、区画と連絡し、それによりスタックの最上端のシートを使用するために暴露させることを可能にするように、本体のシート材ディスペンサ部に形成される。【選択図】図１
2010076448.tif 000002
【特許請求の範囲】
【請求項１】
シート材ディスペンサを有する筆記具であって、
先端部、シート材ディスペンサ部、および該先端部と該シート材ディスペンサ部との間に配置されるグリップ部を有する本体と、
前記シート材ディスペンサの内部にあり、前記本体の直径によってほぼ規定される幅、長さおよび高さを有する区画であって、該区画の該幅、長さおよび高さが、同様の寸法を有するシート材スタックを受容するように寸法決めされ、前記本体の前記シート材ディスペンサ部に該区画のカバーが設けられ、該カバーが、該カバーを通って延在して該区画と連通するスロットを有するようになっている区画と、
前記区画の内部にあり、剥離可能接着剤層によって互いに接着された複数のシートを備えるシート材スタックであって、該スタックの最上端のシートが前記スロットを通って延在するようになっているシート材スタックと、
を備える筆記具。
【請求項２】
前記本体の前記シート材ディスペンサ部が、該本体の内面および外面を画定する周壁を備え、前記区画が、該本体の該内面に接続されるプラットフォームと、該本体の該内面に接続される一対の端壁と、該本体の該内面によって形成される一対の側壁とを備える、請求項１に記載の筆記具。
【請求項３】
前記プラットフォームが、前記区画の前記長さに沿って前記本体の前記内面の第１部分から延在して、該プラットフォームと該本体の該内面との間の空間を画定する、請求項２に記載の筆記具。
【請求項４】
前記一対の端壁が、前記プラットフォームの両端に配置される、請求項２に記載の筆記具。
【請求項５】
前記本体の前記シート材ディスペンサ部の前記壁が、前記区画の前記一対の側壁の少なくとも一方に沿って開口部を画定するように構成される、請求項２に記載の筆記具。
【請求項６】
前記筆記具が、筆記先端を有する細長いインクカートリッジを備え、該筆記先端が前記本体の前記先端部から延出し、該インクカートリッジが前記本体の前記グリップ部を通って延在する、請求項３に記載の筆記具。
【請求項７】
前記インクカートリッジが、前記プラットフォームと前記シート材ディスペンサ部の前記外壁とによって画定される前記空間に延在する、請求項６に記載の筆記具。
【請求項８】
前記本体の前記グリップ部と前記シート材ディスペンサ部との間に接続された室をさらに含み、該室が、前記先端部から延出する筆記先端と流体流通状態にあるインクリザーバを収容する、請求項１に記載の筆記具。
【請求項９】
前記インクリザーバが、蛍光インクが装填されたインクパッドを備える、請求項８に記載の筆記具。
【請求項１０】
前記スロットを通って延在する前記スタックの前記最上端のシートを覆う手段をさらに備える、請求項１に記載の筆記具。
【請求項１１】
前記本体の前記シート材ディスペンサ部の上にある可動エンクロージャをさらに備え、該可動エンクロージャは、該エンクロージャが第１位置にあるときに前記スタックの前記最上端のシートを覆い、該エンクロージャが第２位置にあるときに前記スタックの前記最上端のシートを露出させるように構成される、請求項１に記載の筆記具。
【請求項１２】
前記可動エンクロージャが、前記本体の前記シート材ディスペンサ部の周囲に同軸に配置されるカバーを備え、
前記カバーは、前記第１位置から前記第２位置まで回転可能であり、該カバーは、窓を画定するように構成された周壁を有し、該カバーが該第２位置にあるときに、該窓が前記スタックの前記最上端のシートに位置合わせされてそれを露出させ、該カバーが該第１位置にあるときに、該カバーの該周壁が該スタックの該最上端のシートを覆うようになっている、請求項１１に記載の筆記具。
【請求項１３】
前記窓が、前記スロットにほぼ平行な第１縁部および第２縁部と、該第１縁部および第２縁部に対して横向きの第３縁部および第４縁部とを有する周縁を備え、該第３縁部および第４縁部の一方が中間縁延長部を含む、請求項１２に記載の筆記具。
【請求項１４】
前記可動エンクロージャが、前記本体の前記シート材ディスペンサ部に摺動可能に係合するカバーを備え、
前記カバーが、前記スタックの前記最上端のシートを覆う前記第１位置から、該スタックの該最上端のシートを露出させる前記第２位置まで移動可能である、請求項１１に記載の筆記具。
【請求項１５】
筆記具およびシート材スタックのためのハウジングであって、
先端部、１つの先端部から延出する筆記先端、グリップ部、およびシート材ディスペンサ部を有し、該グリップ部が該先端部と該シート材ディスペンサ部との間に配置されてなる中空の細長い本体と、
シート材ディスペンサ部の内部にある区画とを具備し、
前記区画が、ベースと、両側壁と、前記本体によって規定されるカバーとを有して、同様の寸法を有するシート材スタックを受容するように寸法決めされ、
前記カバーが、前記区画の両側壁間にスロットを形成して、前記スタックからのシートが該スロットを通り前記区画から延出できるように構成される、
ハウジング。
【請求項１６】
前記シート材ディスペンサ部が、ベース部およびカバー部を備え、該ベース部が前記シート材スタックの支持面を画定し、該カバー部が前記両側壁および前記カバーを画定する、請求項１５に記載のハウジング。
【請求項１７】
前記ベース部および前記カバー部が、前記区画の内部に前記シート材スタックを装入するための、前記本体の側壁を通る開口部を画定するように構成される、請求項１６に記載のハウジング。
【請求項１８】
前記カバー部が、前記ベース部に枢動可能に接続される、請求項１７に記載のハウジング。
【請求項１９】
前記区画が、約０．１インチ（３ミリメートル）の高さと、約２インチ（６０ミリメートル）の長さと、約０．４インチ（１０ミリメートル）の幅とを有する、請求項１５に記載のハウジング。
【請求項２０】
前記シート材スタックが、約０．４インチ（１０ミリメートル）の幅と、約１．７インチ（４４ミリメートル）の長さとを有する、請求項１９に記載のハウジング。
【請求項２１】
前記スロットを通って延出する前記スタックの前記最上端のシートを覆う手段をさらに備える、請求項１５に記載のハウジング。
【請求項２２】
前記本体の前記シート材ディスペンサ部上の可動エンクロージャをさらに備え、該可動エンクロージャは、該エンクロージャが第１位置にあるときに前記スロットを覆うように構成され、該エンクロージャが第２位置にあるときに前記スロットを露出させるように構成される、請求項１５に記載のハウジング。
【請求項２３】
前記可動エンクロージャが、前記本体の前記シート材ディスペンサ部の周囲に同軸上に配置されるカバーを備え、
前記カバーは、前記第１位置から前記第２位置まで回転可能であり、該カバーは、窓を画定するように構成された周壁を有し、前記カバーが前記第２位置にあるときに、該窓が前記スタックの前記最上端のシートに位置合わせされてそれを露出させ、該カバーが前記第１位置にあるときに、該カバーの該周壁が該スタックの該最上端のシートを覆うようになっている、請求項２２に記載のハウジング。
【請求項２４】
前記窓が、前記スロットにほぼ平行な第１縁部および第２縁部と、該第１縁部および第２縁部に対して横向きの第３縁部および第４縁部とを有する周縁を備え、該第３縁部および第４縁部の一方が中間縁延長部を含む、請求項２３に記載のハウジング。
【請求項２５】
前記可動エンクロージャが、前記本体の前記シート材ディスペンサ部に摺動可能に係合するカバーを備え、
前記カバーが、前記スタックの前記最上端のシートを覆う前記第１位置から、該スタックの該最上端のシートを露出させる前記第２位置まで移動可能である、請求項２２に記載のハウジング。
【請求項２６】
前記可動エンクロージャおよび前記本体が前記ハウジングの最大外径を規定する、請求項２２に記載のハウジング。
【請求項２７】
前記ハウジングの前記最大外径が約０．６インチ（１５ミリメートル）である、請求項２６に記載のハウジング。
【発明の詳細な説明】
【技術分野】
【０００１】
本発明は、広くは、文書や図入りの資料に、観察者にとって重要であると見なされ得るマーキングを施すための装置に関する。具体的には、本発明は、スタック状に形成されたシート材を個々に分配するためのシート材ディスペンサを、筆記具の本体内部に組み込んでいる筆記具に関する。
【背景技術】
【０００２】
印刷物の見直しおよび研究中に、個人が、傍注を書き込むこと、テキストに下線を引くこと、さらに重要であると考えられる部分を強調することは一般的である。例えば、単科大学または総合大学の学生は、蛍光ペンおよび／または着色ペンあるいは色鉛筆を使用して、課程の資料を読み、研究するのを補助することが一般的である。しかし、そのようなマーク付けされたある箇所を特定することは、しばしば、いくつかの同様にマーク付けされたページを探索することを必要とする可能性がある。あるページまたはページの一部を特定するのを容易にする１つの製品は、テープフラグであり、商標Ｐｏｓｔ−ｉｔ（登録商標）フラグの下でミネソタ州セントポールの３Ｍカンパニー（３Ｍ Ｃｏｍｐａｎｙ、（Ｓｔ．Ｐａｕｌ、ＭＮ））によって製造されたものなどがある。スタック状に形成され、かつＺ折り畳み方式などで交代する対向縁に沿って剥離可能接着剤層と共に接着されたシート材を実装する通常の方式が、参照によって本明細書に全体が組み込まれる米国特許第４，７７０，３２０号明細書において開示されている。参照によって本明細書に組み込まれている米国特許第４，４１６，３９２号明細書、第４，７８１，３０６号明細書、および第５，４１７，３４５号明細書に開示されているものを含めて、様々な他の分配可能シート材スタックが当技術分野では既知である。
【発明の概要】
【発明が解決しようとする課題】
【０００３】
筆記具とテープフラグなどとの両方を利用することを容易かつ便利にするために、両方を、専門家の眼識にも魅力的かつ快適な１つの持ち運び容易なユニットに収容することが有益である。
【課題を解決するための手段】
【０００４】
本発明は、組み合わされた筆記具／シート材ディスペンサを対象とする。本発明は、先端部と、シート材ディスペンサ部と、先端部とシート材ディスペンサとの間に配置されたグリップ部とを有する本体からなる。本体のシート材ディスペンサ部の内部には、シート材スタックを受け、かつ保持するようにサイズ決めされた区画が形成される。シート材スタックは、剥離可能接着剤層と共に接着された複数の個々のシートから形成される。スロットが、その区画と連絡し、それによりスタックの最上端のシートを使用するために暴露させることを可能にするために、本体のシート材ディスペンサ部に形成される。
【図面の簡単な説明】
【０００５】
【図１】本発明の組み合わされた筆記具／シート材ディスペンサの第１実施形態の透視図である。
【図２】図１の組み合わされた筆記具／シート材ディスペンサの分解図である。
【図２ａ】図２に示した本発明の筆記具／シート材ディスペンサ用のカバーの縦断面図である。
【図３】図２の筆記具のシート材ディスペンサ部の拡大透視図である。
【図４】図３のシート材ディスペンサ部の拡大分解図である。
【図５】シート材ディスペンサ部の一実施形態の縦断面図である。
【図５ａ】シート材ディスペンサ部の区画にシート材スタックを有するシート材ディスペンサ部の一実施形態の縦断面図である。
【図６】カバーが部分的に回転されている、図１の組み合わされた筆記具／シート材ディスペンサの透視図である。
【図７】カバーが閉位置まで完全に回転されている、図１の組み合わされた筆記具／シート材ディスペンサの透視図である。
【図８】本発明の組み合わされた筆記具／シート材ディスペンサの第２実施形態の側面図である。
【図９】本発明の組み合わされた筆記具／シート材ディスペンサの第３実施形態の分解図である。
【図１０】本発明の組み合わされた筆記具／シート材ディスペンサの第４実施形態の分解図である。
【発明を実施するための形態】
【０００６】
上述した図面の図は、本発明の好ましい実施形態を記載しているが、議論において注釈するように、他の実施形態も考慮される。すべての場合において、本開示は、例示として非限定的に本発明を呈示する。当業者なら、本発明の原理の範囲および精神に包含される多くの他の修正および実施形態を考案することができることを理解されたい。図面は、明瞭化のためにある部分を拡大することが必要であるので、一定率で縮尺されて描かれていないことに特に留意されたい。実施形態にわたって、同じ参照番号が同じ要素に使用されている。
【０００７】
本発明の組み合わされた筆記具／シート材ディスペンサ１０の第１実施形態を図１に示す。一般に、筆記具１０は、先端部１４と、先端部に隣接するグリップ部１６と、グリップ部１６に隣接するシート材ディスペンサ部１８とを含む本体１２によって画定される。１つの好ましい実施形態では、本体１２は、一般に、グリップ部１６と先端部１４とが径方向にテーパ状になっている円筒である。筆記具１０が筆記のために使用されていないとき（すなわち格納されているとき）、先端部１４およびグリップ部１６を覆うために、キャップ２０が提供される。キャップ２０は、筆記具１０が筆記のために使用されているとき、シート材ディスペンサ部１８の端部２２の上にも位置することができる。
【０００８】
第１実施形態の先端部１４から、本体１２の内部に収容されているインクカートリッジ（図示せず）の筆記先端２４が延在する。一実施形態では先端部１４に隣接して位置するグリップ部１６は、天然ゴムで作製されることが好ましく、筆記具１０が使用者によって保持されているとき、指の位置と整合するように設計された掴み面を提供するように輪郭付けられる。グリップ部１６は、先端部１４とシート材ディスペンサ部１８との間に配置される。シート材ディスペンサ部１８は、シート材スタックを収容する。スロット２６を通って本体１２から延在しているスタックの１枚のシートが示されている。カバー２８が、本体１２のシート材ディスペンサ部１８の回りに提供される。１つの好ましい実施形態では、本発明の筆記具１０は、シート材ディスペンサ部１８とカバー２８とによって画定される、約０．６インチ（１５ミリメートル）以下の最大外径を有する。カバー２８は、カバー２８が開位置にあるとき、スロット２６を暴露させる開口部または窓３０を含む。以下でより詳細に議論するように、カバー２８も、シート材ディスペンサ部１８が使用されていないとき、スロット２６を覆うように、閉位置まで回転可能である。
【０００９】
図２は、図１の組み合わされた筆記具／シート材ディスペンサ１０の分解図である。図２に示すように、シート材ディスペンサ部１８と、グリップ部１６と、先端部１４とは、取り付け部３２に固定される。取り付け部３２は、シート材ディスペンサ部１８の雄端部３６を受けるように構成された雌受け端部３４を有する。雌受け端部３４は、間隔をおいて配置された複数の周囲溝３８を備え、この周囲溝は、シート材ディスペンサ部１８の雄端部３６の上にある間隔をおいて配置された周囲リッジ４０の相補セットを受けるようにサイズ決めされる。シート材ディスペンサ部１８の雄端部３６が雌受け端部３４の中に完全に挿入されているとき、リッジ４０は、シート材ディスペンサ部１８を取り付け部３２に対して適所に固定して保持するように、溝３８に位置する。代替として、リッジ４０と溝３８を逆にすることができ、または両方を、係合かつインターロックするリッジとすることができる。取り付け部３２およびシート材ディスペンサ部１８は、例えば、あらゆる適切なポリマーを射出成形することによって、あらゆる適切な材料から形成することが可能である。非限定的な例として、１つの特に有益なポリマーは、強度、清澄性（すなわち透明性）、および審美的に快適な高光沢シーンの品質により、アクリロニトリル、ブタジエン、およびスチレンのコポリマーであるＡＢＳがある。
【００１０】
図２にさらに示すように、取り付け部３２は、径方向テーパ状雄端部４２をも含み、この端部の上に、装飾スペーサリング４４と、グリップ部１６と、先端部１４とが取り付けられる。雄端部４２は、先端部１４の内部ねじ山４８と整合するようにサイズ決めされた外部ねじ切り部４６を含む。リング４４およびグリップ部１６が雄端部４２の上に位置したとき、先端部１４は、ねじ切り部４６の上にねじ込まれ、それにより、先端部１４と、グリップ部１６と、リング４４とを取り付け部３２に固定する。先端部１４およびスペーサリング４４は、上述したように金属またはポリマーなど、任意の適切な材料から作製することが可能である。図２に示すように、一実施形態では、インクカートリッジ４５が、グリップ部１６を通って内部に延在し、かつシート材ディスペンサ部１８を通って延在することが可能であるように、筆記具１０は、筆記具１０が完全に組み立てられているとき、先端部１４から延在する筆記先端２４を有するインクカートリッジ４５を含む。代替実施形態（図示せず）では、筆記先端２４は、先端部１４から引き込み可能である。
【００１１】
図２および図２ａに示すように、やはりポリマー（またはあらゆる他の適切な材料）で形成することが可能であるカバー２８は、カバー２８の開端部５２の付近においてカバー２８の内部周囲表面５０の上に形成された内部周囲溝４８Ａを含む。カバー２８とシート材ディスペンサ部１８を組み立てる際に、溝４８Ａは、カバー２８をシート材ディスペンサ部１８に固定して保持するが、カバー２８が、シート材ディスペンサ部１８に対して回転することを可能にするように、シート材ディスペンサ部１８の上において周囲リッジ５４と対合する。カバー２８は、溝４８Ａに隣接した一対の小さな突出５６をも備える。この突出は、シート材ディスペンサ部１８の対向側面上にある一対の小さい凹み５８と対合するように設計される。突出５６および凹み５８は、カバー２８が開位置にあるとき（すなわち、図１に示すように、使用者がスロット２６を利用することを可能にするように、窓３０が位置合わせされるとき）、カバー２８の正の位置を提供する。突出５６は、以下でより詳細に議論するように、カバー２８が開位置から閉位置に回転するとき、シート材ディスペンサ部１８の外面６１の直径方向対向側面上に提供された一対の弓形ガイド６０の内部においても続く。当業者なら、突出５６および凹み５８の配置は、逆にすることができる、またはカバー２８とシート材ディスペンサ部１８との間のあらゆる他の位置に配置することができることを理解するであろう。
【００１２】
カバー２８とスロット２６との位置合わせを補助するために、カバー２８の内部周囲表面５０は、図２ａに示すように、カバー２８の閉端部６４に隣接した隆起部６２を備える。カバー２８が開位置にあるとき、隆起部６２は、窓３０がスロット２６に対して適切に配置されるのを保証するように、端部６８においてシート材ディスペンサ部１８の外面に形成された第１ショルダ６６に接している。第２ショルダ７０も、カバー２８が時計方向に回転したとき、隆起部６２がショルダ７０と係合するように、第１ショルダ６６と対向する端部６８において提供される。隆起部６２がショルダ７０と係合しているとき、カバー２８の固体外面７２は、シート材ディスペンサ１８（スロット２６を含む）の分配領域７４が覆われ（すなわちカバー２８の閉位置）、それにより、使用者がスロット２６を利用するのを防止するように配置される。
【００１３】
図３は、筆記具１０のシート材分配部１８の拡大透視図である。図３に示すように、シート材分配領域７４は、スロット２６の両側面上に一対の平坦表面８０ａおよび８０ｂを画定するように、シート材分配部１８の外面において形成される。各平坦表面８０ａおよび８０ｂは、スロット２６から延在する最上端のシート８２の寸法を収容するように寸法決めされる。シート８２は、表面８０ｂの上に延在するように示されているが、シート材分配部１８内におけるシート材スタックのＺ折り畳み構成の結果として（米国特許第４，７７０，３２０号明細書においてより詳細に議論されている）、通常、スタックの上から２番目のシートは、表面８０ａ上において反対方向を向くことになる。
【００１４】
図３にさらに示すように、スロット２６は、シート材分配部１８の内部に形成された区画８１と連絡する。スロット２６および区画８１の両方とも、開放されており、カバー２８（図２に示す）を除去することによってシート材スタック（図示せず）を装備するために、シート材ディスペンサ部１８の側壁８３を通って暴露される。表面８０ａおよび８０ｂは、使用者が、区画８１に残っているシートの体積を監視することを可能にするように、透明であることが好ましい。
【００１５】
シート材分配部１８の一実施形態の構造を図４に示す。これは、シート材ディスペンサ部１８の拡大分解図である。図４に示すように、シート材分配部１８は、ベース部８４とカバー部８６との２つの部からなる。ベース部８４は、第１平行縁９０と第２平行縁９２とを有する細長い弓形の壁８８（外面８８Ａを画定する）によって画定される。縁９２は、縁９２に沿って壁８８においてギャップ９５を創出するように、一対のステップ９４を備える。ベース部８４の第１端部９６は開いているが、ベース部８４の両端９８は、横壁１００によって閉鎖されている。ベース部８４の内面１０２から、成形プロセスにおいて形成することができる一対の離間リブ１０４が延在する。リブ１０４は、シート材スタックを保持するプラットフォーム（またはベース）として役立つ表面１０６を画定する。図４に示すように、非限定的な例として、リブ１０４は、壁８８に形成されたギャップ９５より長い長さを有する。リブ１０４は、シート材スタックを担持するのに十分な接触表面を提供するように十分長いことが好ましい。代替実施形態では、シート材スタックに適したベースが、リブ１０４を、リブ１０４に対して９０°配向した複数のリブで置き換えることによって形成される。シート材ディスペンサ部１８の組み立てを容易にするために、縁９０および９２は、ベース部８４の端部に溝１０８を有して構成される。プラットフォームと壁８８との間隔は、以前に議論したように、インクカートリッジ４５の空間を提供するために使用することが可能である。
【００１６】
カバー部８６も、ベース部８４の壁８８と対合するようにサイズ決めされ、かつ構成された外面１１０Ａを画定する弓形壁１１０によって画定される。縁１１２は、ベース部８４の壁８８のギャップ９５と長さが等しいことが好ましい壁１１０の第２ギャップ１１８を画定する一対の間隔ステップ１１６を備える。カバー部８６の端部は、突出を有して構成される（縁１１２から延在するように示された突出１２０など）。この突出は、ベース部８４とカバー部８６とが組み立てられたとき、溝１０８のそれぞれを装備するようにサイズ決めされる。カバー部８６とベース部８４との接続は、例えば、音響溶接または溝１０８内の接着突出１２０によって達成することが可能である。カバー部８６がベース部８４に接続されているとき、ギャップ９５および１１８は、区画８１（以前に図３に示す）への開口部を集団的に画定する。
【００１７】
図５は、組み立てたシート材ディスペンサ部１８の縦断面図である。図５に示すように、カバー部８６は、カバー部８６の内面１２４から延在する一対の離間内部壁１２２を含む。内部壁１２２は、成型プロセスにおいて形成され、一実施形態では約２インチ（６０ミリメートル）であることが好ましい区画８１の長さを画定するのに役立つ。リブ１０４の表面１０６は、区画８１のベースを画定するし、一方カバー部８６の壁１１０は、区画８１のカバーを画定する。リブ１０４および壁１１０は、１つの好ましい実施形態では約０．１インチ（３ミリメートル）である区画８１の高さを画定する。カバー部８６およびベース部８４の内面１２４および１０２は、それぞれ、シート材ディスペンサ部１８の直径にわたる区画８１の幅を画定する。１つの好ましい実施形態では、区画８１の幅は、約０．４インチ（１０ミリメートル）である。スロット２６は、約０．０８インチ（２ミリメートル）の幅を有することが好ましい。
【００１８】
区画８１の内部におけるシート材１２１のスタックを図５ａに示す。スタック１２１は、感圧接着剤の層１２５によって交代両端に沿ってＺ折り畳み方式で剥離可能なように互いに接着された、垂直に位置合わせされた複数の個々のシート１２３からなる。例えば、スロット２６から延在するように示されている最上端のシート１２３ａは、シート１２３ａの下方表面１２９上の第１端部１２７に沿った接着剤１２５ａの層を含む。スタック１２１の次のシート１２３ｂは、第２端部１３１に沿った接着剤１２５ｂの層を含む。図５ａに示すように、区画８１は、スタック１２１より長い長さを有し、これにより、参照によって本明細書に組み込まれている米国特許第４，７７０，３２０号明細書においてさらに記載されているように、各シート１２３がスロット２６を通って分配される際に、スタック１２１が、区画８１の内部において端から端まで（すなわち壁１２２の間において）往復運動することが可能になる。１つの好ましい実施形態では、本発明と共に使用されるシート材１２１の完全なスタックは、約０．４インチ（１０ミリメートル）の幅と、約０．１３インチ（３．３ミリメートル）の高さと、約１．７インチ（４４ミリメートル）の長さとを有する。
【００１９】
カバー２８の動作を図６および図７に示す。筆記具１０を筆記のみのために使用することが所望されるとき、または筆記具１０が輸送されているとき、スロット２６から延在する最上端のシート８２が汚れる、損傷する、または意図せずに除去されるのを防止するために、分配領域７４を覆うことが好ましい。以前に言及したように、カバー２８は、例えば矢印１３０によって示すように時計回りの方向など、特定の方向にカバー２８を回転させることによって、開位置から閉位置まで移動する。窓３０の１つの縁１３２は、スロット２６と軸方向に位置合わせされたテーパ状中間縁延長部１３４を有して構成される。カバー２８が当初回転する際に、縁延長部１３４は、最上端のシート８２がスロット２６から出現する縁と係合して、それを覆い、最上端のシート８２が指している方向に応じて、シート８２を表面８０ａまたは８０ｂに向けて下方に押しやる。カバー２８がさらに回転する際に、窓３０の縁１３２は、図７に示すように、カバー２８の外面７２が分配領域７４を完全に覆うまで、シート８２をカバー２８の下に誘導し続ける。閉位置におけるカバー２８の位置合わせは、図２および図２ａに関して以前に議論したように、ショルダ７０と係合する隆起部６２によって補助される。
【００２０】
図８は、本発明の筆記具１０´用カバー１５０の代替実施形態の側面図である。図８に示すように、カバー１５０は、最上端のシート１８２´が暴露される開位置から閉位置まで、矢印１５２によって示した方向に移動することによってスライドするように設計される。カバー１５０が、シート材ディスペンサ部１８´に形成されたトラック１５４の内部に取り付けられる。本発明のシート材分配領域を覆う他の手段が、当業者には明らかであろう。
【００２１】
図９は、本発明の筆記具２１０の他の実施形態の分解図である。図９に示すように、シート材ディスペンサ部２１８を修正して、カバー部２２０をベース部２２２に枢動可能に接続することによって、シート材分配区画への代替到達を提供することが可能である。組み立てる際に、カバー部２２０は、区画内のシート材スタック（図示せず）を封止するために、ベース部２２２と接触するように回転される。図９に示すように、ベース部２２２は、図４および図５に示したリブ１０４の代わりに、シート材スタックを保持するための連続表面２２３を備えることが可能である。カバー部２２０とベース部２２２とは、カバー２２４の内周囲溝２２６が、シート材ディスペンサ部２１８の周囲リッジ２２８と結合したとき、カバー２２４によって互いに関して維持される。
【００２２】
図１０は、筆記具が蛍光ペンである本発明の筆記具３１０の他の実施形態の分解図である。図１０に示すように、筆記具３１０は、一般に、先端部３１４と、グリップ部３１６と、シート材ディスペンサ部３１８とを有する本体３１２を含む。先端部３１４には、筆記先端（またはニブ）３２０が関連付けられる。筆記先端３２０は、筆記先端３２０が端部３２４に接して位置するまで、先端部３１４の端部３２４の中に装入される。
【００２３】
グリップ部３１６は、先端部３１４と、蛍光インクが充填されたインクパッド３２８の形態であるインクリザーバを含む円筒室３２６とに接続される。インクパッド３２８は、本体３１２を組み立てる際に、しん３２２と連絡する。図２の取り付け部３２と同様に、円筒室３２６は、円筒室３２６とシート材ディスペンサ部３１８との間に封止接続を創出するように、一連の離間内部周囲溝３３０を備える。図１０によって示す実施形態では、円筒室３２６は、ポリプロピレンなど、良好な防湿保護をインクパッド３２８に提供するポリマーで作製されることが好ましい。シート材ディスペンサ部３１８が、図１〜図７において記載した実施形態に関して開示したようにほぼ構築されるが、空気が円筒室３２６に入るのを防止するように、端部３３２が完全にふさがれる点が異なる。シート材ディスペンサ部３１８は、周囲溝３３０と結合したとき、シート材ディスペンサ部３１８の機密封止を室３２６に提供することが好ましい一連の周囲リッジ３３４を含む。
【００２４】
本発明のインクペン型および蛍光ペン型の例について開示してきたが、そのような例は、非限定的である。本発明は、鉛筆、マーカ、および他の筆記具にも適用することができ、その設計または形状は、無限に変更することができる。
【００２５】
好ましい実施形態を参照して本発明について記載してきたが、当業者なら、本発明の精神および範囲から逸脱せずに、形態および詳細について変更することが可能であることを理解するであろう。また、様々な実施形態の対応する特徴を交換することによって、本発明の様々な変形が可能である。
【図１】
2010076448.tif 000003
【図２】
2010076448.tif 000004
【図２ａ】
2010076448.tif 000005
【図３】
2010076448.tif 000006
【図４】
2010076448.tif 000007
【図５】
2010076448.tif 000008
【図５ａ】
2010076448.tif 000009
【図６】
2010076448.tif 000010
【図７】
2010076448.tif 000011
【図８】
2010076448.tif 000012
【図９】
2010076448.tif 000013
【図１０】
2010076448.tif 000014
【手続補正書】
【提出日】平成21年12月2日(2009.12.2)
【手続補正２】
【補正対象書類名】明細書
【補正対象項目名】０００４
【補正方法】変更
【補正の内容】
【０００４】
本発明は、組み合わされた筆記具／シート材ディスペンサを対象とする。本発明は、先端部と、シート材ディスペンサ部と、先端部とシート材ディスペンサとの間に配置されたグリップ部とを有する本体からなる。本体のシート材ディスペンサ部の内部には、シート材スタックを受け、かつ保持するようにサイズ決めされた区画が形成される。シート材スタックは、剥離可能接着剤層と共に接着された複数の個々のシートから形成される。スロットが、その区画と連絡し、それによりスタックの最上端のシートを使用するために暴露させることを可能にするために、本体のシート材ディスペンサ部に形成される。
すなわち本発明は、シート材ディスペンサを有する筆記具において、先端部、シート材ディスペンサ部、および該先端部と該シート材ディスペンサ部との間に配置されるグリップ部を有する本体と、前記シート材ディスペンサ部の内部に形成される区画であって、前記本体の直径によって規定される幅と、長さおよび高さとを有し、該幅、該長さおよび該高さが、同様の寸法を有するシート材スタックを受容するように寸法決めされる区画と、前記本体の前記シート材ディスペンサ部に設けられ、前記区画を画定する壁であって、該壁を貫通して前記区画と連通するスロットを有する壁と、前記区画の内部に配置されるシート材スタックであって、剥離可能接着剤層によって互いに接着された複数のシートを備え、該スタックの最上端のシートが前記スロットを通って延在するようになっており、該複数のシートが、交互配置される互いに反対側の端部に沿って、Ｚ折り態様で互いに剥離可能に接着されてなるシート材スタックと、前記本体の前記シート材ディスペンサ部の上に設置される可動カバーであって、前記シート材スタックの前記最上端のシートを覆う第１位置と、前記シート材スタックの前記最上端のシートを露出させる第２位置との間で移動可能な可動カバーとを具備し、前記可動カバーは、前記本体の前記シート材ディスペンサ部の周囲に同軸に配置されて、前記第１位置と前記第２位置との間で回転可能であり、前記可動カバーは、窓を画定する周壁を有し、前記可動カバーが前記第２位置にあるときに、該窓が前記シート材スタックの前記最上端のシートに位置合わせされてそれを露出させ、前記可動カバーが前記第１位置にあるときに、該周壁が前記シート材スタックの前記最上端のシートを覆うようになっていること、を特徴とする筆記具を提供する。
本発明はまた、筆記具およびシート材スタックのためのハウジングであって、先端部、該先端部から延出する筆記先端、グリップ部、およびシート材ディスペンサ部を有し、該グリップ部が該先端部と該シート材ディスペンサ部との間に配置されてなる中空の細長い本体と、前記シート材ディスペンサ部の内部に形成される区画であって、交互配置される互いに反対側の端部に沿ってＺ折り態様で互いに剥離可能に接着される複数のシートを備えた同様の寸法のシート材スタックを受容するように寸法決めされる区画と、前記本体の前記シート材ディスペンサ部に設けられ、前記区画を画定する壁であって、該壁を貫通して前記区画と連通するスロットを有し、前記シート材スタックからのシートが該スロットを通って前記区画から延出できるようになっている壁と、前記本体の前記シート材ディスペンサ部の上に設置される可動カバーであって、前記スロットを覆う第１位置と、前記スロットを露出させる第２位置との間で移動可能な可動カバーとを具備し、前記可動カバーは、前記本体の前記シート材ディスペンサ部の周囲に同軸に配置されて、前記第１位置と前記第２位置との間で回転可能であり、前記可動カバーは、窓を画定する周壁を有し、前記可動カバーが前記第２位置にあるときに、該窓が前記シート材スタックの前記最上端のシートに位置合わせされてそれを露出させ、前記可動カバーが前記第１位置にあるときに、該周壁が前記シート材スタックの前記最上端のシートを覆うようになっていること、を特徴とするハウジングを提供する。
【手続補正３】
【補正対象書類名】明細書
【補正対象項目名】００１２
【補正方法】変更
【補正の内容】
【００１２】
カバー２８とスロット２６との位置合わせを補助するために、カバー２８の内部周囲表面５０は、図２ａに示すように、カバー２８の閉端部６４に隣接した隆起部６２を備える。カバー２８が開位置にあるとき、隆起部６２は、窓３０がスロット２６に対して適切に配置されるのを保証するように、端部６８においてシート材ディスペンサ部１８の外面に形成された第１ショルダ６６に接している。第２ショルダ７０も、カバー２８が時計方向に回転したとき、隆起部６２がショルダ７０と係合するように、第１ショルダ６６と対向する端部６８において提供される。隆起部６２がショルダ７０と係合しているとき、カバー２８の固体外面７２は、シート材ディスペンサ部１８（スロット２６を含む）の計量分配領域７４が覆われ（すなわちカバー２８の閉位置）、それにより、使用者がスロット２６を利用するのを防止するように配置される。
【手続補正４】
【補正対象書類名】明細書
【補正対象項目名】００１３
【補正方法】変更
【補正の内容】
【００１３】
図３は、筆記具１０のシート材ディスペンサ部１８の拡大透視図である。図３に示すように、シート材分配計量領域７４は、スロット２６の両側面上に一対の平坦表面８０ａおよび８０ｂを画定するように、シート材ディスペンサ部１８の外面において形成される。各平坦表面８０ａおよび８０ｂは、スロット２６から延在する最上端のシート８２の寸法を収容するように寸法決めされる。シート８２は、表面８０ｂの上に延在するように示されているが、シート材ディスペンサ部１８内におけるシート材スタックのＺ折り畳み構成の結果として（米国特許第４，７７０，３２０号明細書においてより詳細に議論されている）、通常、スタックの上から２番目のシートは、表面８０ａ上において反対方向を向くことになる。
【手続補正５】
【補正対象書類名】明細書
【補正対象項目名】００１４
【補正方法】変更
【補正の内容】
【００１４】
図３にさらに示すように、スロット２６は、シート材ディスペンサ部１８の内部に形成された区画８１と連絡する。スロット２６および区画８１の両方とも、開放されており、カバー２８（図２に示す）を除去することによってシート材スタック（図示せず）を装備するために、シート材ディスペンサ部１８の側壁８３を通って暴露される。表面８０ａおよび８０ｂは、使用者が、区画８１に残っているシートの体積を監視することを可能にするように、透明であることが好ましい。
【手続補正６】
【補正対象書類名】明細書
【補正対象項目名】００１５
【補正方法】変更
【補正の内容】
【００１５】
シート材ディスペンサ部１８の一実施形態の構造を図４に示す。これは、シート材ディスペンサ部１８の拡大分解図である。図４に示すように、シート材ディスペンサ部１８は、ベース部８４とカバー部８６との２つの部からなる。ベース部８４は、第１平行縁９０と第２平行縁９２とを有する細長い弓形の壁８８（外面８８Ａを画定する）によって画定される。縁９２は、縁９２に沿って壁８８においてギャップ９５を創出するように、一対のステップ９４を備える。ベース部８４の第１端部９６は開いているが、ベース部８４の両端９８は、横壁１００によって閉鎖されている。ベース部８４の内面１０２から、成形プロセスにおいて形成することができる一対の離間リブ１０４が延在する。リブ１０４は、シート材スタックを保持するプラットフォーム（またはベース）として役立つ表面１０６を画定する。図４に示すように、非限定的な例として、リブ１０４は、壁８８に形成されたギャップ９５より長い長さを有する。リブ１０４は、シート材スタックを担持するのに十分な接触表面を提供するように十分長いことが好ましい。代替実施形態では、シート材スタックに適したベースが、リブ１０４を、リブ１０４に対して９０°配向した複数のリブで置き換えることによって形成される。シート材ディスペンサ部１８の組み立てを容易にするために、縁９０および９２は、ベース部８４の端部に溝１０８を有して構成される。プラットフォームと壁８８との間隔は、以前に議論したように、インクカートリッジ４５の空間を提供するために使用することが可能である。
【手続補正７】
【補正対象書類名】特許請求の範囲
【補正対象項目名】全文
【補正方法】変更
【補正の内容】
【特許請求の範囲】
【請求項１】
シート材ディスペンサを有する筆記具において、
先端部、シート材ディスペンサ部、および該先端部と該シート材ディスペンサ部との間に配置されるグリップ部を有する本体と、
前記シート材ディスペンサ部の内部に形成される区画であって、前記本体の直径によって規定される幅と、長さおよび高さとを有し、該幅、該長さおよび該高さが、同様の寸法を有するシート材スタックを受容するように寸法決めされる区画と、
前記本体の前記シート材ディスペンサ部に設けられ、前記区画を画定する壁であって、該壁を貫通して前記区画と連通するスロットを有する壁と、
前記区画の内部に配置されるシート材スタックであって、剥離可能接着剤層によって互いに接着された複数のシートを備え、該スタックの最上端のシートが前記スロットを通って延在するようになっており、該複数のシートが、交互配置される互いに反対側の端部に沿って、Ｚ折り態様で互いに剥離可能に接着されてなるシート材スタックと、
前記本体の前記シート材ディスペンサ部の上に設置される可動カバーであって、前記シート材スタックの前記最上端のシートを覆う第１位置と、前記シート材スタックの前記最上端のシートを露出させる第２位置との間で移動可能な可動カバーとを具備し、
前記可動カバーは、前記本体の前記シート材ディスペンサ部の周囲に同軸に配置されて、前記第１位置と前記第２位置との間で回転可能であり、
前記可動カバーは、窓を画定する周壁を有し、前記可動カバーが前記第２位置にあるときに、該窓が前記シート材スタックの前記最上端のシートに位置合わせされてそれを露出させ、前記可動カバーが前記第１位置にあるときに、該周壁が前記シート材スタックの前記最上端のシートを覆うようになっていること、
を特徴とする筆記具。
【請求項２】
前記本体の前記シート材ディスペンサ部は、該本体の内面および外面を画定する前記壁と、前記区画に設けられ、該本体の該内面に接続されるシート材スタック保持面と、該本体の該内面に接続される一対の端壁とを備える、請求項１に記載の筆記具。
【請求項３】
前記窓が、前記スロットにほぼ平行な第１縁部および第２縁部と、該第１縁部および第２縁部に対して横向きの第３縁部および第４縁部とを有する周縁を備え、該第３縁部および第４縁部の一方が中間縁延長部を含む、請求項１または２に記載の筆記具。
【請求項４】
筆記具およびシート材スタックのためのハウジングであって、
先端部、該先端部から延出する筆記先端、グリップ部、およびシート材ディスペンサ部を有し、該グリップ部が該先端部と該シート材ディスペンサ部との間に配置されてなる中空の細長い本体と、
前記シート材ディスペンサ部の内部に形成される区画であって、交互配置される互いに反対側の端部に沿ってＺ折り態様で互いに剥離可能に接着される複数のシートを備えた同様の寸法のシート材スタックを受容するように寸法決めされる区画と、
前記本体の前記シート材ディスペンサ部に設けられ、前記区画を画定する壁であって、該壁を貫通して前記区画と連通するスロットを有し、前記シート材スタックからのシートが該スロットを通って前記区画から延出できるようになっている壁と、
前記本体の前記シート材ディスペンサ部の上に設置される可動カバーであって、前記スロットを覆う第１位置と、前記スロットを露出させる第２位置との間で移動可能な可動カバーとを具備し、
前記可動カバーは、前記本体の前記シート材ディスペンサ部の周囲に同軸に配置されて、前記第１位置と前記第２位置との間で回転可能であり、
前記可動カバーは、窓を画定する周壁を有し、前記可動カバーが前記第２位置にあるときに、該窓が前記シート材スタックの前記最上端のシートに位置合わせされてそれを露出させ、前記可動カバーが前記第１位置にあるときに、該周壁が前記シート材スタックの前記最上端のシートを覆うようになっていること、
を特徴とするハウジング。
【請求項５】
前記シート材ディスペンサ部が、ベース部およびカバー部を備え、該ベース部に前記シート材スタックの保持面が形成され、該カバー部に前記スロットが形成される、請求項４に記載のハウジング。
【請求項６】
前記ベース部および前記カバー部が、前記区画の内部に前記シート材スタックを装入するための、前記本体の側壁を貫通する開口部を画定する、請求項５に記載のハウジング。
【請求項７】
前記窓が、前記スロットにほぼ平行な第１縁部および第２縁部と、該第１縁部および第２縁部に対して横向きの第３縁部および第４縁部とを有する周縁を備え、該第３縁部および第４縁部の一方が中間縁延長部を含む、請求項４〜６のいずれか１項に記載のハウジング。
【外国語明細書】
2010076448000001.pdf